【手続補正書】
【提出日】平成20年8月5日(2008.8.5)
【手続補正１】
【補正対象書類名】明細書
【補正対象項目名】特許請求の範囲
【補正方法】変更
【補正の内容】
【特許請求の範囲】
【請求項１】
接続された他の画像形成装置に記憶されたプログラムのバージョンと自機に記憶されたプログラムのバージョンとを比較する比較手段と、
前記自機に記憶されたプログラムのバージョンが前記他の画像形成装置に記憶されたプログラムのバージョンよりも新しい場合は、自機に記憶されたプログラムを前記他の画像形成装置に送信する送信手段と、
前記自機に記憶されたプログラムのバージョンが前記他の画像形成装置に記憶されたプログラムのバージョンよりも古い場合は、前記他の画像形成装置から送信された前記他の画像形成装置に記憶されたプログラムを受信する受信手段と、
を有することを特徴とする画像形成装置。
【請求項２】
接続された複数の他の画像形成装置に記憶されたプログラムのバージョンと自機に記憶されたプログラムのバージョンとを比較する比較手段と、
前記自機に記憶されたプログラムのバージョンが前記複数の他の画像形成装置に記憶されたプログラムのバージョンよりも新しい場合は、自機に記憶されたプログラムを前記複数の他の画像形成装置に送信する送信手段と、
前記自機に記憶されたプログラムのバージョンが前記複数の他の画像形成装置に記憶されたプログラムのバージョンよりも古い場合は、前記複数の他の画像形成装置のうち最新のバージョンのプログラムが記憶された画像形成装置から送信された前記最新のバージョンのプログラムを受信する受信手段と、
を有することを特徴とする画像形成装置。
【請求項３】
接続された他の画像形成装置に記憶されたプログラムのバージョンと自機に記憶されたプログラムのバージョンとを比較する比較工程と、
前記比較結果に基づき、前記自機に記憶されたプログラムのバージョンが前記他の画像形成装置に記憶されたプログラムのバージョンよりも新しい場合は、自機に記憶されたプログラムを前記他の画像形成装置に送信する送信工程と、
前記自機に記憶されたプログラムのバージョンが前記他の画像形成装置に記憶されたプログラムのバージョンよりも古い場合は、前記他の画像形成装置から送信された前記他の画像形成装置に記憶されたプログラムを受信する受信工程と、
を有することを特徴とする画像形成装置におけるプログラム更新方法。
【請求項４】
接続された複数の他の画像形成装置に記憶されたプログラムのバージョンと自機に記憶されたプログラムのバージョンとを比較する比較工程と、
前記比較結果に基づき、前記自機に記憶されたプログラムのバージョンが前記複数の他の画像形成装置に記憶されたプログラムのバージョンよりも新しい場合は、自機に記憶されたプログラムを前記複数の他の画像形成装置に送信する送信工程と、
前記自機に記憶されたプログラムのバージョンが前記複数の他の画像形成装置に記憶されたプログラムのバージョンよりも古い場合は、前記複数の他の画像形成装置のうち最新のバージョンのプログラムが記憶された画像形成装置から送信された前記最新のバージョンのプログラムを受信する受信工程と、
を有することを特徴とする画像形成装置におけるプログラム更新方法。
【請求項５】
画像形成装置のコンピュータを、接続された他の画像形成装置に記憶されたプログラムのバージョンと自機に記憶されたプログラムのバージョンとを比較する比較手段、
前記比較結果に基づき、前記自機に記憶されたプログラムのバージョンが前記他の画像形成装置に記憶されたプログラムのバージョンよりも新しい場合は、送信手段により自機に記憶されたプログラムを前記他の画像形成装置に送信させる手段、前記自機に記憶されたプログラムのバージョンが前記他の画像形成装置に記憶されたプログラムのバージョンよりも古い場合は、受信手段により前記他の画像形成装置から送信された前記他の画像形成装置に記憶されたプログラムを受信させる手段、
として機能させるためのプログラム。
【請求項６】
画像形成装置のコンピュータを、接続された複数の他の画像形成装置に記憶されたプログラムのバージョンと自機に記憶されたプログラムのバージョンとを比較する比較手段、
前記比較結果に基づき、前記自機に記憶されたプログラムのバージョンが前記複数の他の画像形成装置に記憶されたプログラムのバージョンよりも新しい場合は、送信手段により自機に記憶されたプログラムを前記複数の他の画像形成装置に送信させる手段、
前記自機に記憶されたプログラムのバージョンが前記複数の他の画像形成装置に記憶されたプログラムのバージョンよりも古い場合は、受信手段により前記複数の他の画像形成装置のうち最新のバージョンのプログラムが記憶された画像形成装置から送信された前記最新のバージョンのプログラムを受信させる手段、
として機能させるためのプログラム。
【請求項７】
請求項５又は６に記載されたプログラムを記録したコンピュータ読み取り可能な記録媒体。
【手続補正２】
【補正対象書類名】明細書
【補正対象項目名】０００４
【補正方法】変更
【補正の内容】
【０００４】
【課題を解決するための手段】
請求項１の発明は、接続された他の画像形成装置に記憶されたプログラムのバージョンと自機に記憶されたプログラムのバージョンとを比較する比較手段と、前記自機に記憶されたプログラムのバージョンが前記他の画像形成装置に記憶されたプログラムのバージョンよりも新しい場合は、自機に記憶されたプログラムを前記他の画像形成装置に送信する送信手段と、前記自機に記憶されたプログラムのバージョンが前記他の画像形成装置に記憶されたプログラムのバージョンよりも古い場合は、前記他の画像形成装置から送信された前記他の画像形成装置に記憶されたプログラムを受信する受信手段と、を有することを特徴とする画像形成装置である。
請求項２の発明は、接続された複数の他の画像形成装置に記憶されたプログラムのバージョンと自機に記憶されたプログラムのバージョンとを比較する比較手段と、前記自機に記憶されたプログラムのバージョンが前記複数の他の画像形成装置に記憶されたプログラムのバージョンよりも新しい場合は、自機に記憶されたプログラムを前記複数の他の画像形成装置に送信する送信手段と、前記自機に記憶されたプログラムのバージョンが前記複数の他の画像形成装置に記憶されたプログラムのバージョンよりも古い場合は、前記複数の他の画像形成装置のうち最新のバージョンのプログラムが記憶された画像形成装置から送信された前記最新のバージョンのプログラムを受信する受信手段と、を有することを特徴とする画像形成装置である。
請求項３の発明は、接続された他の画像形成装置に記憶されたプログラムのバージョンと自機に記憶されたプログラムのバージョンとを比較する比較工程と、前記比較結果に基づき、前記自機に記憶されたプログラムのバージョンが前記他の画像形成装置に記憶されたプログラムのバージョンよりも新しい場合は、自機に記憶されたプログラムを前記他の画像形成装置に送信する送信工程と、前記自機に記憶されたプログラムのバージョンが前記他の画像形成装置に記憶されたプログラムのバージョンよりも古い場合は、前記他の画像形成装置から送信された前記他の画像形成装置に記憶されたプログラムを受信する受信工程と、を有することを特徴とする画像形成装置におけるプログラム更新方法である。
請求項４の発明は、接続された複数の他の画像形成装置に記憶されたプログラムのバージョンと自機に記憶されたプログラムのバージョンとを比較する比較工程と、前記比較結果に基づき、前記自機に記憶されたプログラムのバージョンが前記複数の他の画像形成装置に記憶されたプログラムのバージョンよりも新しい場合は、自機に記憶されたプログラムを前記複数の他の画像形成装置に送信する送信工程と、前記自機に記憶されたプログラムのバージョンが前記複数の他の画像形成装置に記憶されたプログラムのバージョンよりも古い場合は、前記複数の他の画像形成装置のうち最新のバージョンのプログラムが記憶された画像形成装置から送信された前記最新のバージョンのプログラムを受信する受信工程と、を有することを特徴とする画像形成装置におけるプログラム更新方法である。
請求項５の発明は、画像形成装置のコンピュータを、接続された他の画像形成装置に記憶されたプログラムのバージョンと自機に記憶されたプログラムのバージョンとを比較する比較手段、前記比較結果に基づき、前記自機に記憶されたプログラムのバージョンが前記他の画像形成装置に記憶されたプログラムのバージョンよりも新しい場合は、送信手段により自機に記憶されたプログラムを前記他の画像形成装置に送信させる手段、前記自機に記憶されたプログラムのバージョンが前記他の画像形成装置に記憶されたプログラムのバージョンよりも古い場合は、受信手段により前記他の画像形成装置から送信された前記他の画像形成装置に記憶されたプログラムを受信させる手段、として機能させるためのプログラムである。
請求項６の発明は、画像形成装置のコンピュータを、接続された複数の他の画像形成装置に記憶されたプログラムのバージョンと自機に記憶されたプログラムのバージョンとを比較する比較手段、前記比較結果に基づき、前記自機に記憶されたプログラムのバージョンが前記複数の他の画像形成装置に記憶されたプログラムのバージョンよりも新しい場合は、送信手段により自機に記憶されたプログラムを前記複数の他の画像形成装置に送信させる手段、前記自機に記憶されたプログラムのバージョンが前記複数の他の画像形成装置に記憶されたプログラムのバージョンよりも古い場合は、受信手段により前記複数の他の画像形成装置のうち最新のバージョンのプログラムが記憶された画像形成装置から送信された前記最新のバージョンのプログラムを受信させる手段、として機能させるためのプログラムである。
請求項７の発明は、請求項５又は６に記載されたプログラムを記録したコンピュータ読み取り可能な記録媒体である。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００４４
【補正方法】変更
【補正の内容】
【００４４】
【発明の効果】
請求項１，３，５に対応する効果：画像形成装置の連結機能を利用して連結をセットアップするだけで２台の画像形成装置間で自動的に所定のバージョンのプログラムに更新することができる。従って、プログラム更新に費やす時間、労力を少なくし効率よく更新することができる。
請求項２，４，６に対応する効果：画像形成装置の連結機能を利用して３台以上の画像形成装置間でプログラムのバージョンを比較し、所定バージョンのプログラムを有する画像形成装置を決定してそのプログラムを他の画像形成装置に送受信するので、全ての画像形成装置のプログラムを所定のプログラムに自動的に更新することができる。従って、プログラム更新に費やす時間、労力を少なくし効率よく更新することができる。
請求項７に対応する効果：連結使用される全ての画像形成装置において所定バージョンのプログラムに更新する作業を容易に実施することができるようになる。